(57)【要約】【課題】トラップ機構内の雑菌の繁殖をなくし、内部壁面のぬめりの発生や流水路の詰まりを効果的に防止できる排水トラップを提供する。【解決手段】排水ホースＤを接続されるホースジョイント５と、排水管Ｃを接続される排水管接続部３とを備え、該ホースジョイント５と配水管接続部３との間に防臭用のトラップ機構を連結配備した排水トラップにおいて、前記トラップ機構の内部壁面の一部または全面を金属イオン発生材（銅板）１７ａ〜１７ｃによって覆い、該金属イオン発生材から溶出する金属イオンの殺菌作用によってトラップ機構内の雑菌の繁殖とぬめりの発生を防止した。【選択図】      図１
2009068193.tif 000002
【特許請求の範囲】
【請求項１】
排水ホースを接続されるホースジョイントと、排水管を接続される排水管接続部を備え、該ホースジョイントと排水管接続部との間に防臭用のトラップ機構を連結配備した排水トラップにおいて、前記トラップ機構の内部壁面の一部または全面を金属イオン発生材によって覆い、該金属イオン発生材から溶出する金属イオンの殺菌作用によってトラップ機構内の雑菌の繁殖とぬめりの発生を防止したことを特徴とする排水トラップ。
【請求項２】
請求項１記載の排水トラップにおいて、板状または箔状になる金属イオン発生材を貼り付けることにより、トラップ機構の内部壁面の一部または全面を覆ったことを特徴とする排水トラップ。
【請求項３】
請求項１記載の排水トラップにおいて、金属イオン発生材をメッキすることにより、トラップ機構の内部壁面の一部または全面を覆ったことを特徴とする排水トラップ。
【請求項４】
前記金属イオン発生材として、銅、アルミ、亜鉛または銀のいずれかを用いたことを特徴とする請求項１〜３のいずれかに記載の排水トラップ。
【発明の詳細な説明】
【技術分野】
【０００１】
本発明は、洗い場、バスルームやマンションの台所、洗面所、ベランダあるいは各種キャビネット内などの床面の排水口に取り付けられる排水トラップ、特に洗濯機などの排水ホースを接続連結して用いられる排水トラップに関するものである。
【背景技術】
【０００２】
この種の排水トラップは、ホースジョイントを備えて洗濯機の排水ホースと接続され、排水ホースから流れてくる排水（汚水）を床下に配設した排水管に案内するために用いられている。排水はホースジョイントから排水トラップ内に流れ込み、排水管側へ送られる構造となっている。例えば、特許文献１〜３には、既存の排水管に対してトラップを簡単に形成することができる組み込み式の排水トラップが提案されており、この排水トラップを用いることにより、既設の排水管に洗濯機の排水を流す場合でも臭気の逆流を防止することができる。
【０００３】
【特許文献１】実用新案登録第２５２７３３７号公報（明細書全文、図面全図）
【特許文献２】特開平９−２０９４３１号公報（明細書全文、図面全図）
【特許文献３】特開２００３−３２１８６０号公報（明細書全文、図面全図）
【発明の開示】
【発明が解決しようとする課題】
【０００４】
上記従来の排水トラップは、臭気の逆流防止については優れた効果を発揮できるものであった。しかしながら、この種の排水トラップは、排水トラップを一旦排水管に連結接続して使用を開始すると、排水トラップが壊れない限りそのまま使い続けるのが普通である。そのため、使用年月を経るに従ってトラップ内部に雑菌が繁殖し、トラップの内部壁面にぬめりが発生したり、雑菌の繁殖によって流水路が詰まったりするおそれがあった。
【０００５】
本発明は、上記問題を解決するためになされたもので、トラップ機構内における雑菌の繁殖をなくし、内部壁面のぬめりの発生や流水路の詰まりを効果的に防止できる排水トラップを提供することを目的とするものである。
【課題を解決するための手段】
【０００６】
本発明は、上記目的を達成するため、排水ホースを接続されるホースジョイントと、排水管を接続される排水管接続部を備え、該ホースジョイントと排水管接続部との間に防臭用のトラップ機構を連結配備した排水トラップにおいて、前記トラップ機構の内部壁面の一部または全面を金属イオン発生材によって覆い、該金属イオン発生材から溶出する金属イオンの殺菌作用によってトラップ機構内の雑菌の繁殖とぬめりの発生を防止したことを特徴とするものである。
【０００７】
なお、前記トラップ機構の内部壁面を金属イオン発生材で覆うには、金属イオン発生材を板状または箔状にして貼り付けるか、金属イオン発生材をメッキすればよい。また、金属イオン発生材としては、銅、アルミ、亜鉛、銀などを用いることができる。
【発明の効果】
【０００８】
本発明は、上記のような構成を採用したので、金属イオン発生材から溶出する金属イオンの殺菌作用によってトラップ機構内における雑菌の繁殖とぬめりの発生を効果的に防止することができる。このため、雑菌の繁殖による流水路の詰まりなども無くすことができ、排水トラップを長期にわたって清浄な状態で使用し続けることができる。
【発明を実施するための最良の形態】
【０００９】
以下、本発明の実施の形態について図面を参照して説明する。
図１〜図３に、本発明に係る排水トラップの第１の実施の形態を示す。
この第１の実施の形態に係る排水トラップは、図示するように、床面Ａの床面開口部Ｂを覆って床面上に載置固定される蓋体１を備えており、この蓋体１はその上部側にホース接続部２が、下部側に排水管接続部３が一体に連接形成されている。ホース接続部２には、ホースジョイント６の下側口部４が嵌挿接続され、ホースジョイント６の上側口部５には洗濯機の排水ホースＤが嵌挿接続される。
【００１０】
前記排水管接続部３の内側には、封水筒体８が段差部３１によって嵌挿保持されている。さらに、排水管接続部３の外周面には、シール材７を介して排水管Ｃが嵌挿連結され、封水筒体８はこの配水管Ｃ内において垂下状態で配置される。
【００１１】
前記封水筒体８は、全体が有底カップ状になり、その内部には、筒体内を入口側流路８１ と出口側流路８２ とに区画する仕切片９が筒体底面側に通水用の連通開口１０を形成した状態で垂下され、さらに出口側流路８２ 側の封水筒体８の周壁上部位置には流出口１１が形成されており、これら封水筒体８、入口側流路８１ 、出口側流路８２、仕切片９、流出口１１によって、配水管Ｃ側の悪臭がホースジョイント６側へ逆流することを防止するトラップ機構が構成されている。
【００１２】
また、前記封水筒体８と排水管Ｃの間には、前記流出口１１から流れ出た排水が流下していくための流水用の隙間１３が形成されている。
【００１３】
床面Ａに取り外し可能に備えられて床面開口部Ｂを覆う蓋体１には、パッキンホルダー１２が着脱自在に螺合され、蓋体１とホースジョイント６とを被覆一体化しているとともに、パッキンホルダー１２の周縁部には、外方に向かって鍔状に張り出したカバー１２３ が形成され、このカバー１２３によって前記蓋体１に設けた取付孔１４の上方を覆うようにしてある。
【００１４】
また、前記蓋体１とパッキンホルダー１２との接合対面位置には、凹凸面部２２よりなるロック機構を設けて係止結合できる構成とされているとともに、蓋体１とホースジョイント６との間にはシールラバーリングのシール部材３０を介在し、接続部からの臭気や漏水を防止している。
【００１５】
前記蓋体１に接続されるホースジョイント６は、エラストマーなどの軟性樹脂からなるエルボ管体であって、その下側口部４が前記ホース接続部２に嵌挿接続され、かつ上側口部５には洗濯機の排水ホースＤが嵌挿接続される。このホースジョイント６の下端口部４寄りの外周面には、パッキンホルダー１２に圧接される円錐状のフランジ部１６が突設されており、パッキンホルダー１２をねじ込んで固定する際に、環状の嵌入溝１６１ を前記封水筒体８の保持筒部８３ に圧入嵌挿するとともに、フランジ部１６の下面で前記シール部材２３を蓋体１に圧着し、水密構造を実現している。
【００１６】
第１の実施の形態に係る排水トラップは、上記構造を備えた排水トラップにおいて、トラップ機構の内部壁面に金属イオン発生材たる銅（Ｃｕ）板１７ａ〜１７ｄを貼り付け、この銅板１７ａ〜１７ｄから溶出する銅イオンの殺菌作用によって、排水トラップ内の雑菌の繁殖とぬめりの発生を防止したものである。
【００１７】
すなわち、図示例の場合、封水筒体８の外周壁面に銅板１７ａ，１７ｂを、入口側流路８１内の封水筒体８の内側壁面に銅板１７ｃを、仕切板９の出口側流路８２側の壁面に銅板１７ｄをそれぞれ貼り付け、これらの壁面を金属イオン発生材たる銅板で覆ったものである。なお、銅板を貼り付ける壁面位置は、封水筒体８の全周面としてもよいが、図示例のようにその一部だけに貼り合わせても良く、少なくともトラップ部に貯留される排水Ｗと接する壁面を含ませることが望ましい。
【００１８】
上記構造の排水トラップにおいて、洗濯機から排水が排水ホースＤを通じて流れ込んで来ると、流れ込んできた排水は、入口側流路８１，連通開口１０，出口側流路８２，流出口１１を通って排水管Ｃへと流れ落ちていく。このとき、封水筒体８内へ流れ込んだ排水は、入口側流路８１と出口側流路８２とで構成されるトラップ部を満たしながら溢れ出るようにして流出口１１から流れ出ていくので、このトラップ作用によって排水管Ｃ側の悪臭が排水ホースＤ側へ逆流することが防止される。
【００１９】
また、洗濯が終了して排水が終わると、入口側流路８１と出口側流路８２とで構成されるトラップ部を満たすように排水Ｗが貯留され、この貯留された排水Ｗによって流水路が塞がれるので、排水終了後においても排水管Ｃ側の悪臭が排水ホースＤ側へ漏れ出すことがない。
【００２０】
一方、上記において、排水ホースＤから流れ込んできた排水は、封水筒体８内に貼り付けた銅板１７ａ〜１７ｄと接触しながら流れていく。このため、銅板１７ａ〜１７ｄから排水中に銅イオンが溶出される。また、排水が終了し、入口側流路８１と出口側流路８２とで構成されるトラップ部に排水Ｗが貯留されると、この貯留された排水Ｗは銅板１７ｃ，１７ｄと接触し、銅板１７ｃ，１７ｄから排水Ｗ中に銅イオンが溶出される。
【００２１】
このため、封水筒体８内に流れ込んだ排水は、どのような流水状態においても銅イオンにさらされた状態となる。この結果、排水中に溶出した銅イオンの殺菌作用によって雑菌の繁殖とぬめりの発生が効果的に防止され、雑菌の繁殖による流水路の詰まりなども無くすことができるので、排水トラップを長期にわたって清浄な状態で使用し続けることができる。
【００２２】
図４に、本発明に係る排水トラップの第２の実施の形態を示す。  
前記した第１の実施の形態は、排水管Ｃが床面Ａに対して垂直下方へ向かって配管されている場合の排水トラップの例であったが、この第２の実施の形態は、排水管Ｃが床面Ａと平行な向きに配管されている場合の排水トラップの例を示すもので、例えば、防水パンの床面（底板）に形成された排水管Ｃに接続する場合などに用いられるものである。
【００２３】
排水管Ｃに連結される排水トラップ本体２１内には、封水カップ２２と、該封水カップ２２に流水用の間隔をあけて嵌挿され、下端開口部２３１ によって連通する封水筒２３と、さらに該封水筒２３内に流水用の間隔をあけて嵌挿され、前記封水カップ２２に載置される案内筒２４とを挿脱自在に備えている
【００２４】
また、前記排水トラップ本体２１には、排水ホースＤが接続される排水ホース取付用のホースジョイント６が目皿受２７を介して着脱自在に嵌合配備されている。さらに、排水トラップ本体２１には、排水管Ｃを連結するための横引きの配水管接続部３３が一体形成されている。
【００２５】
前記封水カップ２２は、目皿受２７に挿脱自在に嵌挿される有底筒体であって、その底面には流水用の隙間を形成できる翼片２８を所定間隔をあけて立設し、かつ筒体上部の周側面にオーバーフロー用の流出スリット２９を周方向に間隔をおいて複数設けてある。また、該封水カップ２２内に嵌挿される前記封水筒２３も、下端開口部２３１ を有する中空筒体である。
【００２６】
前記案内筒２４は、ホースジョイント６に接続される両端開口の中空筒体であって、下端開口２４１ の外周に外環板３１を突設し、該外環板３１上に所定間隔をおいて消泡用リブ３４を設けると共に、前記封水カップ２２の内底面に立設された翼片２８上に載置され、前記封水筒２３との間に流水用の隙間をあけて配備されている。
【００２７】
この第２の実施の形態の場合、前記封水カップ２２、封水筒２３、案内筒２４、流出スリット２９によってトラップ機構が構成されている。洗濯機のホースＣから排水が流れてくると、排水はホースジョイント６から案内筒２４、排水カップ２２を経て流出スリット９より排水管Ｃに向かって流出するので、排水管Ｃを経由してくる悪臭は前記トラップ機構の作用によってその逆流を阻止される。
【００２８】
そして、この第２の実施の形態では、前記トラップ機構を構成する封水カップ２２，封水筒２３，案内筒２４の内側壁面に、金属イオン発生材たる銅（Ｃｕ）板３２ａ〜３２ｃを図４（ｂ）に示すような筒状に形成して嵌挿し、貼り合わせた付けたもので、銅板３２ａ〜３２ｃから溶出する銅イオンの殺菌作用によって排水トラップ内の雑菌の繁殖とぬめりの発生を防止するように構成したものである。
【００２９】
排水ホースＤから流れ込んできた排水は、銅板３２ａ〜３２ｃと接触しながら流れていく。このため、銅板３７ａ〜３２ｃから排水中に銅イオンが溶出される。また、排水が終了した後においても、トラップ部に貯留された排水Ｗに対して銅板３２ａ〜３２ｃから銅イオンが溶出される。この結果、第１の実施の形態の場合と同様に、排水中に溶出した銅イオンの殺菌作用によって雑菌の繁殖とぬめりの発生が効果的に防止され、雑菌の繁殖による流水路の詰まりなども無くすことができるので、排水トラップを長期にわたって清浄な状態で使用し続けることができる。
【００３０】
以上、本発明の実施の形態について説明したが、本発明は上記実施の形態に限定されるものではなく、種々の変形並びに変更が可能である。例えば、上記実施の形態では、金属イオン発生材として銅（Ｃｕ）を用いたが、アルミニウム（Ａｌ）、亜鉛（Ｚｎ）、銀（Ａｇ）などを用いることもできる。また、金属イオン発生材を板状にして貼り付けたが、薄い箔状にして貼り付けてもよいし、可能ならばメッキによって付着してもよい。また、金属イオン発生材で壁面の一部だけを覆ったが、壁面の内外全面を覆ってもよいものである。
【００３１】
さらに、上記実施の形態では、第１、第２の２つの実施の形態を挙げて説明したが、本発明はこれらの構造のものに限定されるものではなく、流水路の途中に形成したトラップ部に排水を貯留して悪臭の逆流を阻止するトラップ機構を備えたものであれば適用可能である。
【図面の簡単な説明】
【００３２】
【図１】本発明に係る排水トラップの第１の実施の形態を示す縦断面図である。
【図２】図１中の封水筒体の構造を示すもので、（ａ）は斜視図、（ｂ）は平面図、（ｃ）は左側面図、（ｄ）は右側面図である。
【図３】図１中のIII−III線位置における封水筒体の断面図である。
【図４】本発明に係る排水トラップの第１の実施の形態を示すもので、（ａ）は縦断面  本発明に係る排水トラップの第１の実施の形態を示す縦断面図である。図、（ｂ）は銅板の形状を示す斜視図である。
【符号の説明】
【００３３】
Ａ  床面
Ｂ  床面開口部
Ｃ  排水管
Ｄ  排水ホース
Ｗ  排水
１  蓋体
３  配水管接続部
６  ホースジョイント
８  封水筒体
８１  入口側流路
８２  出口側流路
９  仕切片
１０  連通開口
１１  流出口
１２  パッキングホルダー
１７ａ〜１７ｄ  銅板（金属イオン発生材）
２１  排水トラップ本体
２２  封水カップ
２３  封水筒
２４  案内筒
２９  流出スリット
３３  配水管接続部
３２ａ〜３２ｃ  銅板（金属イオン発生材）
【図１】
2009068193.tif 000003
【図２】
2009068193.tif 000004
【図３】
2009068193.tif 000005
【図４】
2009068193.tif 000006